(57)【要約】 【課題】  三相４線式低圧配電回路において、不平衡な負荷によって中性線に生じる不平衡電流を吸収し、電力線に還元することにより、熱として無駄に消費されていた不平衡電流を有効利用する。【解決手段】  ３つの長辺部３１，３２，３３を有する鉄心３０を設け、各相の第一順巻コイル１１ａ，１２ａ，１３ａの一端を、コイル捲数が等しく、且つ電気的巻線方向が異なる次相の第一逆巻コイル１２ｂ，１３ｂ，１１ｂの一端と接続して第一吸収コイル群１０を形成し、各相の第二順巻コイル２１ａ，２２ａ，２３ａの一端を、コイル捲数が等しく、且つ電気的巻線方向が異なる次相の第二逆巻コイル２２ｂ，２３ｂ，２１ｂの一端と接続して第二吸収コイル群２０を形成し、各相の第一逆巻コイル１２ｂ，１３ｂ，１１ｂの他端と前相の第二順巻コイル２１ａ，２２ａ，２３ａの他端を接続して第一吸収コイル群１０と第二吸収コイル群２０を結合してある。【選択図】    図１
2007048859.tif 000002
【特許請求の範囲】
【請求項１】
Ｒ相、Ｓ相及びＴ相の電力線と中性線とからなる三相４線式低圧配電回路において、Ｕ相、Ｖ相及びＷ相からなる３つの長辺部を有する鉄心を設け、コイル捲数が等しく、且つ電気的巻線方向が異なる第一順巻コイル及び第一逆巻コイルと、コイル捲数が等しく、且つ電気的巻線方向が異なる第二順巻コイル及び第二逆巻コイルをＵ相、Ｖ相及びＷ相の各長辺部に巻回し、各相の第一順巻コイルの一端を次相の第一逆巻コイルの一端と接続して３つの第一吸収コイルを形成し、各相の第二順巻コイルの一端を次相の第二逆巻コイルの一端と接続して３つの第二吸収コイルを形成し、各相の第一逆巻コイルの他端と前相の第二順巻コイルの他端を接続して第一吸収コイルと第二吸収コイルを結合してあり、第一吸収コイル側端を夫々対応する電力線に接続し、第二吸収コイル側端を中性線に接続し、中性線に流れる不平衡電流を電力線に還元するようにした三相４線式省電力変圧器。
【請求項２】
前記鉄心がＵ相、Ｖ相及びＷ相からなる３つの長辺部を有する三相五脚鉄心である請求項１に記載の三相４線式省電力変圧器。
【請求項３】
Ｒ相、Ｓ相及びＴ相の電力線と中性線とからなる三相４線式低圧配電回路において、キュービクル、三相４線、第一吸収コイル群及び第二吸収コイル群で構成される省電力変圧器、並びに複数個の負荷から成り、Ｕ相、Ｖ相及びＷ相からなる３つの長辺部を有する鉄心を設け、コイル捲数が等しく、且つ電気的巻線方向が異なる第一順巻コイル及び第一逆巻コイルと、コイル捲数が等しく、且つ電気的巻線方向が異なる第二順巻コイル及び第二逆巻コイルをＵ相、Ｖ相及びＷ相の各長辺部に巻回し、各相の第一順巻コイルの一端を次相の第一逆巻コイルの一端と接続して３つの第一吸収コイルを形成し、各相の第二順巻コイルの一端を次相の第二逆巻コイルの一端と接続して３つの第二吸収コイルを形成し、各相の第一逆巻コイルの他端と前相の第二順巻コイルの他端を接続して第一吸収コイルと第二吸収コイルを結合してあり、第一吸収コイル側端を夫々対応する電力線に接続し、第二吸収コイル側端を中性線に接続し、中性線に流れる不平衡電流を電力線に還元するようにした三相４線式低圧配電システム。
【請求項４】
前記鉄心がＵ相、Ｖ相及びＷ相からなる３つの長辺部を有する三相五脚鉄心である請求項３に記載の三相４線式低圧配電システム。
【発明の詳細な説明】
【技術分野】
【０００１】
本発明は、三相４線式低圧配電回路において中性線に流れる不平衡電流を有効利用する三相４線式省電力変圧器及びそれを用いた三相４線式低圧配電システムに関する。
【背景技術】
【０００２】
三相４線式低圧配電回路は、動力等の比較的電力の大きい機器を負荷とした場合には電力線を３線使用（三相３線）し、また、電灯等の比較的電力の小さい機器を負荷とした場合には夫々の相の電力線と中性線間に負荷を配して使用（三相４線）する共用が行われている。三相４線式低圧配電回路は、このように２種類の電圧が得られると共に、電灯等の比較的電力の小さい機器を負荷とした場合に、夫々の相の電力線と中性線間に負荷を配して３回路を使用することができるという特長がある。
【発明の開示】
【発明が解決しようとする課題】
【０００３】
しかし、従来の三相４線式低圧配電回路は、各相に接続された負荷の大小により、利用負荷の低い相の余剰電力が不平衡電流として中性線に流れ、熱として無駄に電力を消費しているという課題があった。
また、中性線に流れる不平衡電流による電圧降下は、各相の負担となり各相電圧の不平衡にも影響を及ぼしている。このため、需要家には必要な電圧値よりも相当高い電圧を供給する必要があり、需要家側では負荷において余計な電力を無駄に消費するという課題があった。
【０００４】
そこで、本発明は、不平衡な負荷によって中性線に生じる不平衡電流を吸収し、電力線に還元することにより、熱として無駄に消費されていた不平衡電流を有効利用することができる三相４線式省電力変圧器及びそれを用いた三相４線式低圧配電システムを提供するものである。
【課題を解決するための手段】
【０００５】
本発明は、上記課題を解決するために、Ｒ相、Ｓ相及びＴ相の電力線と中性線とからなる三相４線式低圧配電回路において、Ｕ相、Ｖ相及びＷ相からなる３つの長辺部を有する鉄心を設け、コイル捲数が等しく、且つ電気的巻線方向が異なる第一順巻コイル及び第一逆巻コイルと、コイル捲数が等しく、且つ電気的巻線方向が異なる第二順巻コイル及び第二逆巻コイルをＵ相、Ｖ相及びＷ相の各長辺部に巻回し、各相の第一順巻コイルの一端を次相の第一逆巻コイルの一端と接続して３つの第一吸収コイルを形成し、各相の第二順巻コイルの一端を次相の第二逆巻コイルの一端と接続して３つの第二吸収コイルを形成し、各相の第一逆巻コイルの他端と前相の第二順巻コイルの他端を接続して第一吸収コイルと第二吸収コイルを結合してあり、第一吸収コイル側端を夫々対応する電力線に接続し、第二吸収コイル側端を中性線に接続し、中性線に流れる不平衡電流を電力線に還元するようにした三相４線式省電力変圧器を提供するものである。
【０００６】
また、本発明は、前記鉄心がＵ相、Ｖ相及びＷ相からなる３つの長辺部を有する三相五脚鉄心である請求項１に記載の三相４線式省電力変圧器を提供するものである。
【０００７】
また、本発明は、Ｒ相、Ｓ相及びＴ相の電力線と中性線とからなる三相４線式低圧配電回路において、キュービクル、三相４線、第一吸収コイル群及び第二吸収コイル群で構成される省電力変圧器、並びに複数個の負荷から成り、Ｕ相、Ｖ相及びＷ相からなる３つの長辺部を有する鉄心を設け、コイル捲数が等しく、且つ電気的巻線方向が異なる第一順巻コイル及び第一逆巻コイルと、コイル捲数が等しく、且つ電気的巻線方向が異なる第二順巻コイル及び第二逆巻コイルをＵ相、Ｖ相及びＷ相の各長辺部に巻回し、各相の第一順巻コイルの一端を次相の第一逆巻コイルの一端と接続して３つの第一吸収コイルを形成し、各相の第二順巻コイルの一端を次相の第二逆巻コイルの一端と接続して３つの第二吸収コイルを形成し、各相の第一逆巻コイルの他端と前相の第二順巻コイルの他端を接続して第一吸収コイルと第二吸収コイルを結合してあり、第一吸収コイル側端を夫々対応する電力線に接続し、第二吸収コイル側端を中性線に接続し、中性線に流れる不平衡電流を電力線に還元するようにした三相４線式低圧配電システムを提供するものである。
【０００８】
また、本発明は、前記鉄心がＵ相、Ｖ相及びＷ相からなる３つの長辺部を有する三相五脚鉄心である請求項３に記載の三相４線式低圧配電システムを提供するものである。
【発明の効果】
【０００９】
本発明に係る三相４線式省電力変圧器によれば、Ｒ相、Ｓ相及びＴ相の電力線と中性線とからなる三相４線式低圧配電回路において、Ｕ相、Ｖ相及びＷ相からなる３つの長辺部を有する鉄心を設け、コイル捲数が等しく、且つ電気的巻線方向が異なる第一順巻コイル及び第一逆巻コイルと、コイル捲数が等しく、且つ電気的巻線方向が異なる第二順巻コイル及び第二逆巻コイルをＵ相、Ｖ相及びＷ相の各長辺部に巻回し、各相の第一順巻コイルの一端を次相の第一逆巻コイルの一端と接続して３つの第一吸収コイルを形成し、各相の第二順巻コイルの一端を次相の第二逆巻コイルの一端と接続して３つの第二吸収コイルを形成し、各相の第一逆巻コイルの他端と前相の第二順巻コイルの他端を接続して第一吸収コイルと第二吸収コイルを結合してあり、第一吸収コイル側端を夫々対応する電力線に接続し、第二吸収コイル側端を中性線に接続し、中性線に流れる不平衡電流を電力線に還元するようにした構成を有することにより、第一吸収コイル及び第二吸収コイルが不平衡な負荷によって中性線に生じる不平衡電流を吸収し、電力線に還元することができるから、熱として無駄に消費されていた不平衡電流を有効利用することができる効果がある。また、第一吸収コイル及び第二吸収コイルが中性線に生じる不平衡電流を吸収することにより、不平衡電流による各相の電圧降下を抑制して各相電圧の不平衡も改善することができ、需要家への供給電圧を従来より低く設定することができる効果がある。
【００１０】
また、本発明は、前記鉄心がＵ相、Ｖ相及びＷ相からなる３つの長辺部を有する三相五脚鉄心である請求項１に記載の構成を有することにより、磁束の帰路が気中を通らないことから、磁気特性を向上させることができる効果がある。
【００１１】
本発明に係る三相４線式低圧配電システムによれば、Ｒ相、Ｓ相及びＴ相の電力線と中性線とからなる三相４線式低圧配電回路において、キュービクル、三相４線、第一吸収コイル群及び第二吸収コイル群で構成される省電力変圧器、並びに複数個の負荷から成り、Ｕ相、Ｖ相及びＷ相からなる３つの長辺部を有する鉄心を設け、コイル捲数が等しく、且つ電気的巻線方向が異なる第一順巻コイル及び第一逆巻コイルと、コイル捲数が等しく、且つ電気的巻線方向が異なる第二順巻コイル及び第二逆巻コイルをＵ相、Ｖ相及びＷ相の各長辺部に巻回し、各相の第一順巻コイルの一端を次相の第一逆巻コイルの一端と接続して３つの第一吸収コイルを形成し、各相の第二順巻コイルの一端を次相の第二逆巻コイルの一端と接続して３つの第二吸収コイルを形成し、各相の第一逆巻コイルの他端と前相の第二順巻コイルの他端を接続して第一吸収コイルと第二吸収コイルを結合してあり、第一吸収コイル側端を夫々対応する電力線に接続し、第二吸収コイル側端を中性線に接続し、中性線に流れる不平衡電流を電力線に還元するようにした構成を有することにより、第一吸収コイル及び第二吸収コイルが不平衡な負荷によって中性線に生じる不平衡電流を吸収し、電力線に還元することができるから、熱として無駄に消費されていた不平衡電流を有効利用することができる効果がある。また、第一吸収コイル及び第二吸収コイルが中性線に生じる不平衡電流を吸収することにより、不平衡電流による各相の電圧降下を抑制して各相電圧の不平衡も改善することができ、需要家への供給電圧を従来より低く設定することができる効果がある。
【００１２】
また、本発明は、前記鉄心がＵ相、Ｖ相及びＷ相からなる３つの長辺部を有する三相五脚鉄心である請求項３に記載の構成を有することにより、磁束の帰路が気中を通らないことから、磁気特性を向上させることができる効果がある。
【発明を実施するための最良の形態】
【００１３】
本発明の実施の形態を図示する実施例に基づいて説明する。
本発明に係る三相４線式省電力変圧器１００は、Ｒ相、Ｓ相及びＴ相の電力線１，２，３と中性線４とからなる三相４線式低圧配電回路において、Ｕ相、Ｖ相及びＷ相からなる３つの長辺部３１，３２，３３を有する鉄心３０を設け、コイル捲数が等しく、且つ電気的巻線方向が異なる第一順巻コイル１１ａ，１２ａ，１３ａ及び第一逆巻コイル１１ｂ，１２ｂ，１３ｂと、コイル捲数が等しく、且つ電気的巻線方向が異なる第二順巻コイル２１ａ，２２ａ，２３ａ及び第一逆巻コイル２１ｂ，２２ｂ，２３ｂをＵ相、Ｖ相及びＷ相の各長辺部３１，３２，３３に巻回し、各相の第一順巻コイル１１ａ，１２ａ，１３ａの一端を次相の第一逆巻コイル１２ｂ，１３ｂ，１１ｂの一端と接続して３つの第一吸収コイル１１，１２，１３（第一吸収コイル群１０）を形成し、各相の第二順巻コイル２１ａ，２２ａ，２３ａの一端を次相の第二逆巻コイル２２ｂ，２３ｂ，２１ｂの一端と接続して３つの第二吸収コイル２１，２２，２３（第二吸収コイル群２０）を形成し、各相の第一逆巻コイル１２ｂ，１３ｂ，１１ｂの他端と前相の第二順巻コイル２１ａ，２２ａ，２３ａの他端を接続して第一吸収コイル１１，１２，１３と第二吸収コイル２１，２２，２３を結合してあり、第一吸収コイル１１，１２，１３側端を夫々対応する電力線１，２，３，１０１，１０２，１０３に接続し、第二吸収コイル２１，２２，２３側端を中性線４，１０４に接続し、中性線１０４に流れる不平衡電流を電力線１０１，１０２，１０３に還元するように構成してある。
【実施例１】
【００１４】
図２に示す実施例において、鉄心３０は、方向性けい素鋼板を積層してあり、Ｕ相長辺部３１、Ｖ相長辺部３２及びＷ相長辺部３３と、外側脚３４，３５とからなる三相五脚鉄心を構成してある。鉄心３０は、磁気特性を向上させることができるから、図２に示すような三相五脚鉄心が好ましいが、図５に示すように外側脚のない三相三脚鉄心を使用することも可能である。
【００１５】
図１及び図２に示すように、鉄心３０のＵ相長辺部３１には、第一順巻コイル１１ａ、第一逆巻コイル１１ｂ、第二順巻コイル２１ａ、第二逆巻コイル２１ｂを順に巻回してある。同様に、Ｖ相長辺部３２には、第一順巻コイル１２ａ、第一逆巻コイル１２ｂ、第二順巻コイル２２ａ、第二逆巻コイル２２ｂを順に巻回してあり、Ｗ相長辺部３３には、第一順巻コイル１３ａ、第一逆巻コイル１３ｂ、第二順巻コイル２３ａ、第二逆巻コイル２３ｂを順に巻回してある。
【００１６】
第一順巻コイル１１ａ，１２ａ，１３ａと第一逆巻コイル１１ｂ，１２ｂ，１３ｂは、全てのコイル捲数が等しく、巻線方向を同方向に巻回してあり、互いのコイル内を流れる電流の向きが逆方向になるように結線して電気的巻線方向が異なるように構成してある。図１及び図２に示す実施例では、Ｕ相の第一順巻コイル１１ａの上側端をＶ相の第一逆巻コイル１２ｂの上側端と接続して第一吸収コイル１１を形成し、Ｖ相の第一順巻コイル１２ａの上側端をＷ相の第一逆巻コイル１３ｂの上側端と接続して第一吸収コイル１２を形成し、Ｗ相の第一順巻コイル１３ａの上側端をＵ相の第一逆巻コイル１１ｂの上側端と接続して第一吸収コイル１３を形成してある。
【００１７】
同様に、第二順巻コイル２１ａ，２２ａ，２３ａと第二逆巻コイル２１ｂ，２２ｂ，２３ｂは、全てのコイル捲数が等しく、巻線方向を同方向に巻回してあり、互いのコイル内を流れる電流の向きが逆方向になるように結線して電気的巻線方向が異なるように構成してある。図１及び図２に示す実施例では、Ｕ相の第二順巻コイル２１ａの上側端をＶ相の第二逆巻コイル２２ｂの上側端と接続して第二吸収コイル２１を形成し、Ｖ相の第二順巻コイル２２ａの上側端をＷ相の第二逆巻コイル２３ｂの上側端と接続して第二吸収コイル２２を形成し、Ｗ相の第二順巻コイル２３ａの上側端をＵ相の第二逆巻コイル２１ｂの上側端と接続して第二吸収コイル２３を形成してある。なお、第一吸収コイル１１，１２，１３と第二吸収コイル２１，２２，２３の巻数は、等しくても異なっていてもよい。また、第一順巻コイル１１ａ，１２ａ，１３ａと第一逆巻コイル１１ｂ，１２ｂ，１３ｂ、第二順巻コイル２１ａ，２２ａ，２３ａと第二逆巻コイル２１ｂ，２２ｂ，２３ｂは、巻線方向を逆方向にして電気的巻線方向が異なるように構成することも可能である。
【００１８】
また、第一吸収コイル１１と第二吸収コイル２１は、Ｖ相の第一逆巻コイル１２ｂの下側端とＵ相の第二順巻コイル２１ａの下側端を接続して結合してあり、Ｕ相の第一順巻コイル１１ａの下側端をＲ相の電力線１及びＵ相の電力線１０１に接続し、Ｖ相の第二逆巻コイル２２ｂの下側端を不平衡電流吸収線５を介して中性線４，１０４に接続してある。
同様に、第一吸収コイル１２と第二吸収コイル２２は、Ｗ相の第一逆巻コイル１３ｂの下側端とＶ相の第二順巻コイル２２ａの下側端を接続して結合してあり、Ｖ相の第一順巻コイル１２ａの下側端をＳ相の電力線２及びＶ相の電力線１０２に接続し、Ｗ相の第二逆巻コイル２３ｂの下側端を不平衡電流吸収線５を介して中性線４，１０４に接続してある。
更に、第一吸収コイル１３と第二吸収コイル２３は、Ｕ相の第一逆巻コイル１１ｂの下側端とＷ相の第二順巻コイル２３ａの下側端を接続して結合してあり、Ｗ相の第一順巻コイル１３ａの下側端をＴ相の電力線３及びＷ相の電力線１０３に接続し、Ｕ相の第二逆巻コイル２１ｂの下側端を不平衡電流吸収線５を介して中性線４，１０４に接続してある。
【００１９】
図３に示すように、Ｕ相、Ｖ相及びＷ相の電力線１０１，１０２，１０３には、中性線１０４との間に負荷１１１，１１２，１１３を接続してある。これらの負荷１１１，１１２，１１３が平衡な場合には、中性線１０４に電流は流れないが、不平衡な場合には、中性線４に不平衡電流Ｉｎが流れる。
【００２０】
本発明に係る三相４線式省電力変圧器１００は、この不平衡電流Ｉｎを不平衡電流吸収線５を通って吸収し、変圧器１００の各相に等分して１／３Ｉｎずつ流れるようにしてある。即ち、等分された不平衡電流が、第二吸収コイル２１，２２，２３に１／３Ｉｎずつ流れ、更に、第一吸収コイル１１，１２，１３を流れて電力線１０１，１０２，１０３に還元されるように構成してある。第二吸収コイル２１に流れ込む不平衡電流は、第二逆巻コイル２２ｂ、第二順巻コイル２１ａ、第一逆巻コイル１２ｂ、第一順巻コイル１１ａを通って電力線１０１へ流れるから、Ｖ相長辺部３２、Ｕ相長辺部３１、Ｖ相長辺部３２、Ｕ相長辺部３１と二つの相を交互に流れるようにしてある。同様に、第二吸収コイル２２に流れ込む不平衡電流は、Ｗ相長辺部３３、Ｖ相長辺部３２、Ｗ相長辺部３３、Ｖ相長辺部３２と二つの相を交互に流れ、第二吸収コイル２３に流れ込む不平衡電流は、Ｕ相長辺部３１、Ｗ相長辺部３３、Ｕ相長辺部３１、Ｗ相長辺部３３と二つの相を交互に流れるようにしてある。
Ｕ相、Ｖ相、Ｗ相は、１２０°ずつ位相が異なるから、各吸収コイルに流れる電流は、図３に示すベクトル図で表される。
【００２１】
また、変圧器１００は、第一順巻コイル１１ａ，１２ａ，１３ａと第一逆巻コイル１１ｂ，１２ｂ，１３ｂとがコイル捲数が等しく、且つ電気的捲線方向が異なるように巻回してあると共に、第二順巻コイル２１ａ，２２ａ，２３ａと第二逆巻コイル２１ｂ，２２ｂ，２３ｂともコイル捲数が等しく、且つ電気的捲線方向が異なるように巻回してあるから、Ｕ相の長辺部３１において、第二逆巻コイル２１ｂのアンペアターンは第二順巻コイル２１ａのアンペアターンと平衡し、第一逆巻コイル１１ｂのアンペアターンは第一順巻コイル１１ａのアンペアターンと平衡している。同様に、Ｖ相の長辺部３２において、第二逆巻コイル２２ｂのアンペアターンは第二順巻コイル２２ａのアンペアターンと平衡し、第一逆巻コイル１２ｂのアンペアターンは第一順巻コイル１２ａのアンペアターンと平衡している。また、Ｗ相の長辺部３３において、第二逆巻コイル２３ｂのアンペアターンは第二順巻コイル２３ａのアンペアターンと平衡し、第一逆巻コイル１３ｂのアンペアターンは第一順巻コイル１３ａのアンペアターンと平衡している。
この結果、各長辺部３１，３２，３３の磁束は夫々打ち消し合うように作用すると共に、不平衡電流は二つの相を交互に流れることにより、各相に流れる電流に平衡作用が働く。
【００２２】
図４は、上記の変圧器を用いた三相４線式低圧配電システムの一実施例を示している。
本発明に係る三相４線式低圧配電システムは、Ｒ相、Ｓ相及びＴ相の電力線１，２，３と中性線４とからなる三相４線式低圧配電回路において、キュービクル（図示しない）、三相４線１，２，３，４，１０１，１０２，１０３，１０４、第一吸収コイル群１０及び第二吸収コイル群２０で構成される省電力変圧器１００、並びに複数個の負荷１１１，１１２，１１３とから構成してある。
【００２３】
キュービクルは配電変圧器を備えており、配電変圧器の高圧側で高電圧が供給され、配電変圧器の低圧側は三相４線になっている。配電変圧器の低圧側では、三相４線の電力線１，２，３間の単相２線で電灯等に使用する比較的小さい電力を、電力線１，２，３間の三相３線で動力等に使用する比較的大きい電力を取り出すことができる。
【００２４】
本発明三相４線式低圧配電システムにおいて、図４に示すように、中性線とＵ相、Ｖ相及びＷ相の電力線１０１，１０２，１０３の間には、不平衡な負荷１１１，１１２，１１３が接続されている。各電力線には、Ｕ相電力線に９３．７Ａ、Ｖ相電力線に８３．０Ａ、Ｗ相電力線に６１．５Ａの電流が流れ、中性線１０４には２８Ａの不平衡電流Ｉｎが流れている。省電力変圧器１００は、中性線１０４に流れる不平衡電流Ｉｎを吸収して各電力線１０１，１０２，１０３に還元することにより、中性線４に流れる不平衡電流を抑制して配電ロスを低減することができるようにしてある。また、省電力変圧器１００の電流平衡作用により電源側の電力線１，２，３に流れる電流を平衡にすることができる。この結果、省電力変圧器１００より電源側の各電力線には、Ｒ相電力線に８７Ａ、Ｓ相電力線に８０Ａ、Ｔ相電力線に６６Ａの電流が流れ、中性線４には４．７Ａの不平衡電流が流れる。省電力変圧器１００は、中性線に流れる電流を２８Ａから４．７Ａに改善することができ、この差分を各電力線１０１，１０２，１０３に還元することができる。
【００２５】
また、省電力変圧器１００より電源側の電力線１，２，３に流れる電流が平衡され、中性線４に流れる不平衡電流が抑制されることにより、各線間電圧も安定化され、中性線４との線間電圧が、Ｒ相電力線は１００．５Ｖ、Ｓ相電力線は１００．５Ｖ、Ｔ相電力線は１００．６Ｖとなった。省電力変圧器１００は、磁気回路内で動作するため、負荷１１１，１１２，１１３の瞬時変動に対しても大きな効果があり、電圧変動率も改善することができる。
【図面の簡単な説明】
【００２６】
【図１】本発明三相４線式省電力変圧器の一実施例を示す結線図。
【図２】その一実施例の構造を示す構造図。
【図３】その一実施例の作用を示すベクトル図。
【図４】本発明三相４線式低圧配電システムの一実施例を示す配線図。
【図５】本発明三相４線式省電力変圧器に使用する鉄心の他の実施例を示す構造図。
【符号の説明】
【００２７】
１，２，３  電力線
４  中性線
５  不平衡電流吸収線
６  配電盤
１０  第一吸収コイル群
１１，１２，１３  第一吸収コイル
１１ａ，１２ａ，１３ａ  第一順巻コイル
１１ｂ，１２ｂ，１３ｂ  第一逆巻コイル
２０  第二吸収コイル群
２１，２２，２３  第二吸収コイル
２１ａ，２２ａ，２３ａ  第二順巻コイル
２１ｂ，２２ｂ，２３ｂ  第二逆巻コイル
３０  鉄心
３１，３２，３３  長辺部
１００  変圧器
１０１，１０２，１０３  電力線
１０４  中性線
１１１，１１２，１１３  負荷
【図１】
2007048859.tif 000003
【図２】
2007048859.tif 000004
【図３】
2007048859.tif 000005
【図４】
2007048859.tif 000006
【図５】
2007048859.tif 000007